(57)【要約】【課題】異なる場所で共有される生理データの精度を向上させることができる生理データ保管装置、その制御方法及び生理データ共有システムを提供すること。【解決手段】実施形態の生理データ保管装置は、記憶部と、受信部と、補正部と、送信部とを備える。記憶部は、第１の場所に置かれた計測装置によって計測された被検体の生理データと、該第１の場所に関する第１の地理的条件とを関連付けて記憶する。受信部は、第２の場所に置かれた参照装置から、該第２の場所に関する第２の地理的条件を含んだ前記生理データの取得要求を受信する。補正部は、前記受信部によって前記取得要求が受信された場合に、前記第１の地理的条件と前記第２の地理的条件とに基づいて、地理的条件の違いにより前記生理データに生じる誤差を補正する。送信部は、前記補正部によって補正された生理データを前記参照装置に送信する。【選択図】図２
2014135975.tif 000002
【特許請求の範囲】
【請求項１】
第１の場所に置かれた計測装置によって計測された被検体の生理データと、該第１の場所に関する第１の地理的条件とを関連付けて記憶する記憶部と、
第２の場所に置かれた参照装置から、該第２の場所に関する第２の地理的条件を含んだ前記生理データの取得要求を受信する受信部と、
前記受信部によって前記取得要求が受信された場合に、前記第１の地理的条件と前記第２の地理的条件とに基づいて、地理的条件の違いにより前記生理データに生じる誤差を補正する補正部と、
前記補正部によって補正された生理データを前記参照装置に送信する送信部と
を備えたことを特徴とする生理データ保管装置。
【請求項２】
前記補正部は、
前記第１の地理的条件と所定の基準地点に関する第３の地理的条件とに基づいて、前記生理データを補正する第１の補正部と、
前記受信部によって前記取得要求が受信された場合に、前記第２の地理的条件と前記第３の地理的条件とに基づいて、前記第１の補正部によって補正された生理データを補正する第２の補正部と
を備えたことを特徴とする請求項１に記載の生理データ保管装置。
【請求項３】
前記記憶部は、前記生理データと、当該生理データを計測した計測装置の種別とをさらに関連付けて記憶し、
前記補正部は、前記計測装置の種別に応じて、計測装置の種別の違いにより前記生理データに生じる誤差をさらに補正する
ことを特徴とする請求項１又は２に記載の生理データ保管装置。
【請求項４】
生理データ保管装置が、
第１の場所に置かれた計測装置によって計測された被検体の生理データの取得要求であって、第２の場所に関する第２の地理的条件を含んだ取得要求を、前記第２の場所に置かれた参照装置から受信し、
前記取得要求が受信された場合に、前記被検体の生理データと、前記第１の場所に関する第１の地理的条件とを関連付けて記憶する記憶部を参照し、前記第１の地理的条件と前記第２の地理的条件とに基づいて、地理的条件の違いにより前記生理データに生じる誤差を補正し、
補正された前記生理データを前記参照装置に送信する、
ことを含んだことを特徴とする生理データ保管装置の制御方法。
【請求項５】
第１の場所に置かれた計測装置と、第２の場所に置かれた参照装置と、該計測装置及び該参照装置と通信可能に接続された生理データ保管装置とを有する生理データ共有システムであって、
前記参照装置は、
前記第２の場所に関する第２の地理的条件を含んだ前記生理データの取得要求を送信する送信部を備え、
前記生理データ保管装置は、
前記計測装置によって計測された被検体の生理データと、前記第１の場所に関する第１の地理的条件とを関連付けて記憶する記憶部と、
前記参照装置から、前記第２の地理的条件を含んだ前記生理データの取得要求を受信する受信部と、
前記受信部によって前記取得要求が受信された場合に、前記第１の地理的条件と前記第２の地理的条件とに基づいて、地理的条件の違いにより前記生理データに生じる誤差を補正する補正部と、
前記補正部によって補正された生理データを前記参照装置に送信する送信部と
を備えたことを特徴とする生理データ共有システム。
【請求項６】
第１の場所に置かれた計測装置と、該計測装置により計測された被検体の生理データの入力を受付ける第１の参照装置と、第２の場所に置かれた第２の参照装置と、該第１の参照装置及び該第２の参照装置と通信可能に接続された生理データ保管装置とを有する生理データ共有システムであって、
前記第１の参照装置は、
前記第１の場所に関する第１の地理的条件と所定の基準地点に関する第３の地理的条件とに基づいて、前記生理データを補正する補正部と、
前記補正部により補正された生理データを含んだ該補正された生理データを保管する要求を、前記生理データ保管装置に送信する送信部とを備え、
前記生理データ保管装置は、
前記第１の参照装置から前記補正された生理データを含んだ該補正された生理データを保管する要求を受信する受信部と、
前記受信部により受信された前記補正された生理データを記憶部に格納させる格納制御部と、
前記第２の参照装置から取得を要求された前記生理データを該第２の参照装置に送信する送信部とを備え、
前記第２の参照装置は、
前記生理データ保管装置から前記生理データを受信する受信部と、
前記第２の場所に関する第２の地理的条件と前記第３の地理的条件とに基づいて、前記生理データを補正する第２の補正部と
を備えたことを特徴とする生理データ共有システム。
【請求項７】
第１の場所に置かれた計測装置と、第２の場所に置かれた参照装置と、該計測装置及び該参照装置と通信可能に接続する生理データ保管装置とを有する生理データ共有システムであって、
第１の場所に置かれた計測装置によって計測された被検体の生理データと、該第１の場所に関する第１の地理的条件とを関連付けて記憶する記憶部と、
前記第１の地理的条件と所定の基準地点に関する第３の地理的条件とに基づいて、前記生理データを補正する第１の補正部と、
前記第２の場所に関する第２の地理的条件と前記第３の地理的条件とに基づいて、前記第１の補正部によって補正された生理データを補正する第２の補正部と
を備えたことを特徴とする生理データ共有システム。
【発明の詳細な説明】
【技術分野】
【０００１】
本発明の実施形態は、生理データ保管装置、その制御方法及び生理データ共有システムに関する。
【背景技術】
【０００２】
従来、複数の病院等で実施された健康診断の結果を共有する生理データ共有システムがある。例えば、生理データシステムは、生理データ保管装置と、生理データ参照装置とを有する。生理データ参照装置は、各種計測装置によって計測された生理データを収集して、生理データ保管装置に保管させる。
【０００３】
また、生理データ参照装置は、生理データ保管装置から生理データを取得して、各種の解析を行う。これにより、生理データを計測した医療機関と、この医療機関とは異なる場所に位置する医療機関との間で、生理データが共有される。
【０００４】
この一方で、生理データは、計測する場所の地理的条件によって計測値に誤差が生じる場合がある。例えば、体重は、緯度に影響を受け、血圧は、気圧の影響を受ける。
【先行技術文献】
【特許文献】
【０００５】
【特許文献１】特開２００９−１９３４６１号公報
【発明の概要】
【発明が解決しようとする課題】
【０００６】
本発明が解決しようとする課題は、異なる場所で共有される生理データの精度を向上させることができる生理データ保管装置、その制御方法及び生理データ共有システムを提供することである。
【課題を解決するための手段】
【０００７】
実施形態の生理データ保管装置は、記憶部と、受信部と、補正部と、送信部とを備える。記憶部は、第１の場所に置かれた計測装置によって計測された被検体の生理データと、該第１の場所に関する第１の地理的条件とを関連付けて記憶する。受信部は、第２の場所に置かれた参照装置から、該第２の場所に関する第２の地理的条件を含んだ前記生理データの取得要求を受信する。補正部は、前記受信部によって前記取得要求が受信された場合に、前記第１の地理的条件と前記第２の地理的条件とに基づいて、地理的条件の違いにより前記生理データに生じる誤差を補正する。送信部は、前記補正部によって補正された生理データを前記参照装置に送信する。
【図面の簡単な説明】
【０００８】
【図１】図１は、第１の実施形態に係る生理データ共有システムの一例を示す図である。
【図２】図２は、生理データ参照装置及び生理データ保管装置の構成の一例を示す図である。
【図３】図３は、装置ＤＢが記憶する情報の一例を示す図である。
【図４】図４は、地理的条件ＤＢが記憶する情報の一例を示す図である。
【図５】図５は、生理データＤＢが記憶する情報の一例を示す図である。
【図６】図６は、生理データ保管装置が、生理データを保管する要求を生理データ参照装置から受信した場合の処理手順を示すフローチャートである。
【図７】図７は、生理データ保管装置が、生理データを取得する要求を生理データ参照装置から受信した場合の処理手順を示すフローチャートである。
【発明を実施するための形態】
【０００９】
以下、図面を参照して、実施形態に係る生理データ保管装置、その制御方法及び生理データ共有システムを説明する。
【００１０】
（第１の実施形態）
図１は、第１の実施形態に係る生理データ共有システム１の一例を示す図である。図１に示すように、生理データ共有システム１は、計測装置２ａ及び３ａと、生理データ参照装置１０ａ及び１０ｂと、生理データ保管装置２０とを有する。また、生理データ参照装置１０ａ及び１０ｂと、生理データ保管装置２０とは、ネットワーク５によって互いに通信可能に接続される。なお、生理データ共有システム１が有する計測装置及び生理データ参照装置の数は、図１に図示した数に限定されるものではない。また、計測装置２ａ及び３ａもネットワーク５を介して生理データ参照装置１０ａ及び１０ｂと、生理データ保管装置２０とに接続されてもよい。
【００１１】
計測装置２ａと生理データ参照装置１０ａとは、第１の病院２に設置される。この第１の病院２は、例えば、北海道地区に所在する病院である。計測装置２ａは、例えば、第１の病院２で実施された健康診断等において、被検体の生理データを計測する。
【００１２】
生理データ参照装置１０ａは、計測装置２ａにより計測された生理データを収集する。例えば、生理データ参照装置１０ａは、計測装置２ａにより計測された被検体の生理データの入力を利用者から受付ける。そして、生理データ参照装置１０ａは、収集した生理データを生理データ保管装置２０に送信する。
【００１３】
また、生理データ参照装置１０ａは、生理データ保管装置２０において保管されている生理データの取得を要求する。そして、生理データ参照装置１０ａは、生理データ保管装置２０から生理データを取得して、各種の解析を行う。
【００１４】
計測装置３ａと生理データ参照装置１０ｂとは、第２の病院３に設置される。この第２の病院３は、例えば、九州地区に所在する病院である。計測装置３ａは、例えば、第２の病院３で実施された健康診断等において、被検体の生理データを計測する。
【００１５】
生理データ参照装置１０ｂは、計測装置３ａにより計測された生理データを収集する。例えば、生理データ参照装置１０ｂは、計測装置３ａにより計測された被検体の生理データの入力を利用者から受付ける。そして、生理データ参照装置１０ｂは、収集した生理データを生理データ保管装置２０に送信する。
【００１６】
また、生理データ参照装置１０ｂは、生理データ保管装置２０において保管されている生理データの取得を要求する。そして、生理データ参照装置１０ｂは、生理データ保管装置２０から生理データを取得して、各種の解析を行う。
【００１７】
生理データ保管装置２０は、データセンター４に設置される。このデータセンター４は、例えば、関東地区に所在する。生理データ保管装置２０は、生理データ参照装置１０ａ及び１０ｂにより収集された生理データを受信し、受信した生理データを記憶部２２に保管する。
【００１８】
また、生理データ保管装置２０は、生理データ参照装置１０ａ又は１０ｂから取得を要求された生理データを記憶部２２から読出して、要求元の生理データ参照装置１０ａ又は１０ｂに送信する。
【００１９】
ここで、第１の病院２に置かれた計測装置２ａにより計測された生理データを、第２の病院３に置かれた生理データ参照装置１０ｂが取得する場合を説明する。なお、取得される生理データを計測した計測装置２ａが置かれた場所のことを「第１の場所」とよび、生理データの取得を要求する生理データ参照装置１０ｂが置かれた場所のことを「第２の場所」とよぶ。
【００２０】
生理データ保管装置２０は、第１の場所に置かれた計測装置２ａによって計測された被検体の生理データと、この第１の場所に関する第１の地理的条件とを関連付けて記憶する。また、生理データ保管装置２０は、第２の場所に置かれた生理データ参照装置１０ｂから、この第２の場所に関する第２の地理的条件を含んだ生理データの取得要求を受信する。続いて、生理データ保管装置２０は、取得要求が受信された場合に、第１の地理的条件と第２の地理的条件とに基づいて、地理的条件の違いにより生理データに生じる誤差を補正する。そして、生理データ保管装置２０は、補正した生理データを生理データ参照装置１０ｂに送信する。
【００２１】
このように、生理データ共有システム１は、地理的に異なる位置に所在する病院において計測された生理データを、ネットワーク５を介して各病院間で共有する。なお、以下の説明では、生理データ参照装置１０ａ及び１０ｂを区別しない場合には、生理データ参照装置１０と呼ぶ。また、第１の病院２、第２の病院３及びデータセンター４の所在は、図１に示した地区に限定されるものではない。
【００２２】
次に、図２を用いて、生理データ参照装置１０及び生理データ保管装置２０の構成について説明する。図２は、生理データ参照装置１０及び生理データ保管装置２０の構成の一例を示す図である。
【００２３】
図２に示すように、生理データ参照装置１０は、入力部１１と、表示部１２と、通信制御インターフェース部１３と、記憶部１４と、制御部１５とを有する。
【００２４】
入力部１１は、生理データ参照装置１０の利用者が各種指示や各種設定の入力に用いるマウスやキーボードなどを有し、利用者から受け付けた指示や設定の情報を、制御部１５に転送する。
【００２５】
例えば、入力部１１は、計測装置により計測された生理データの入力を利用者から受付ける。また、入力部１１は、入力した生理データを生理データ保管装置２０に保管する要求を利用者から受付ける。また、入力部１１は、生理データ保管装置２０により保管される生理データを取得する要求を利用者から受付ける。
【００２６】
表示部１２は、例えば液晶ディスプレイ等のモニタであり、生理データや、利用者から各種指示を受け付けるためのＧＵＩ（Graphical  User  Interface）等を表示する。通信制御インターフェース部１３は、例えば、ＮＩＣ（Network  Interface  Card）等であり、他の装置との間で通信を行う。記憶部１４は、例えば、ハードディスク、半導体メモリ素子等であり、各種情報を記憶する。
【００２７】
制御部１５は、例えばＣＰＵ（Central  Processing  Unit）等であり、生理データ参照装置１０が実行する各種処理を制御する。例えば、制御部１５は、送信部１５ａと受信部１５ｂとを有する。
【００２８】
送信部１５ａは、入力した生理データを生理データ保管装置２０に保管する要求を利用者から受付けた場合、生理データの保管を要求する保管要求を生理データ保管装置２０に送信する。そして、送信部１５ａは、例えば、生理データ保管装置２０から保管要求に対する応答が得られた場合、保管する生理データを計測した計測装置が置かれた場所に関する地理的条件を含んだ、生理データを生理データ保管装置２０に送信する。
【００２９】
また、送信部１５ａは、生理データ保管装置２０により保管される生理データを取得する要求を利用者から受付けた場合、生理データの取得要求を生理データ保管装置２０に送信する。例えば、送信部１５ａは、生理データの取得を要求する生理データ参照装置１０が置かれた場所に関する地理的条件を含んだ、生理データの取得要求を生理データ保管装置２０に送信する。
【００３０】
受信部１５ｂは、取得を要求した生理データを生理データ保管装置２０から受信する。
【００３１】
生理データ保管装置２０は、通信制御インターフェース部２１と、記憶部２２と、制御部２３とを有する。
【００３２】
通信制御インターフェース部２１は、例えば、ＮＩＣ等であり、他の装置との間で通信を行う。
【００３３】
記憶部２２は、例えば、ハードディスク、半導体メモリ素子等であり、各種情報を記憶する。例えば、記憶部２２は、装置ＤＢ（Data  Base）２２ａと、地理的条件ＤＢ２２ｂと、生理データＤＢ２２ｃとを有する。
【００３４】
装置ＤＢ２２ａは、生理データを計測した計測装置の種別に関する情報を記憶する。図３は、装置ＤＢ２２ａが記憶する情報の一例を示す図である。図３に示すように、装置ＤＢ２２ａは、「装置ＩＤ」と、「メーカーＩＤ」と、「型番」と、「補正対応」とを対応付けた情報を記憶する。
【００３５】
ここで、装置ＤＢ２２ａが記憶する「装置ＩＤ」は、計測装置の識別子を示す。例えば、「装置ＩＤ」には、「１」、「２」等の値が格納される。
【００３６】
また、装置ＤＢ２２ａが記憶する「メーカーＩＤ」は、計測装置を製造したメーカーの識別子を示す。例えば、「メーカーＩＤ」には、「ＡＡＡ」、「ＢＢＢ」等の値が格納される。
【００３７】
また、装置ＤＢ２２ａが記憶する「型番」は、計測装置の型番を示す。例えば、「型番」には、「ＡＡＡ−１」、「ＢＢＢ−１」等の値が格納される。
【００３８】
また、装置ＤＢ２２ａが記憶する「補正対応」は、重力加速度の差により生じる計測装置間の誤差を補正する機能を備えているか否かを示す。例えば、「補正対応」には、重力加速度の差により生じる計測装置間の誤差を補正する機能を備えていることを示す「１」、重力加速度の差により生じる計測装置間の誤差を補正する機能を備えていないことを示す「０」が格納される。
【００３９】
一例をあげると、図３に示す装置ＤＢ２２ａは、「装置ＩＤ」が「１」で識別される計測装置が、「ＡＡＡ」社製の「ＡＡＡ−１」であり、重力加速度の差により生じる計測装置間の誤差を補正する機能を備えていることを示す。
【００４０】
地理的条件ＤＢ２２ｂは、場所に関する地理的条件を記憶する。なお、ここでいう場所とは、計測装置が置かれた場所である。図４は、地理的条件ＤＢ２２ｂが記憶する情報の一例を示す図である。図４に示すように、地理的条件ＤＢ２２ｂは、「場所ＩＤ」と、「緯度」と、「経度」と、「気圧（ｈＰａ）」と、「重力加速度（ｍ／ｓ２）」とを対応付けた情報を記憶する。
【００４１】
ここで、地理的条件ＤＢ２２ｂが記憶する「場所ＩＤ」は、場所を特定する識別子である。例えば、「場所ＩＤ」には、「Ａ」、「Ｂ」、「Ｃ」等の値が格納される。なお、以下では、場所ＩＤが「Ａ」である場所は、生理データ保管装置２０が置かれた場所を特定し、場所ＩＤが「Ｂ」である場所は、生理データの保管を要求する生理データ参照装置１０が置かれた場所を特定し、場所ＩＤが「Ｃ」である場所は、生理データの取得を要求する生理データ参照装置１０が置かれた場所を特定するものとして説明する。
【００４２】
また、地理的条件ＤＢ２２ｂが記憶する「緯度」は、場所ＩＤで特定される場所における緯度を示す。例えば、「緯度」には、「ＸＸ」、「ＹＹ」等の値が格納される。また、地理的条件ＤＢ２２ｂが記憶する「経度」は、場所ＩＤで特定される場所における経度を示す。例えば、「経度」には、「ＡＡ」、「ＢＢ」等の値が格納される。
【００４３】
また、地理的条件ＤＢ２２ｂが記憶する「気圧（ｈＰａ）」は、場所ＩＤで特定される場所における気圧を示す。例えば、「気圧（ｈＰａ）」には、「１０２０」、「１０１５」等の値が格納される。なお、「気圧（ｈＰａ）」に格納される値は、気圧の計測時で変化する。このため、「気圧（ｈＰａ）」に格納される値は適宜更新される。
【００４４】
また、地理的条件ＤＢ２２ｂが記憶する「重力加速度（ｍ／ｓ２）」は、場所ＩＤで特定される場所における重力加速度を示す。例えば、「重力加速度（ｍ／ｓ２）」には、「９．８０」、「９．８１」等の値が格納される。なお、「重力加速度（ｍ／ｓ２）」は、場所に対して特定される値であり、更新はされない。
【００４５】
一例をあげると、図４に示す地理的条件ＤＢ２２ｂは、「場所ＩＤ」が「Ａ」で識別される場所の緯度がＸＸであり、経度がＡＡであり、気圧が１０２０（ｈＰａ）であり、重力加速度が９．８０（ｍ／ｓ２）であることを示す。
【００４６】
生理データＤＢ２２ｃは、計測装置によって計測された被検体の生理データと、計測装置が置かれた場所に関する地理的条件とを関連付けて記憶する。図５は、生理データＤＢ２２ｃが記憶する情報の一例を示す図である。図５に示すように、生理データＤＢ２２ｃは、「生理データＩＤ」と、「被検体ＩＤ」と、「データタイプ」と、「生理データ値」と、「保管時の気圧（ｈＰａ）」と、「装置ＩＤ」と、「場所ＩＤ」とを対応付けた情報を記憶する。
【００４７】
ここで、生理データＤＢ２２ｃが記憶する「生理データＩＤ」は、生理データの識別子である。例えば、「生理データＩＤ」には、「０００１」、「０００２」等の値が格納される。
【００４８】
また、生理データＤＢ２２ｃが記憶する「被検体ＩＤ」は、被検体の識別子である。例えば、「被検体情報ＩＤ」には、「ＸＸＸＸ」、「ＺＺＺＺ」等の値が格納される。
【００４９】
また、生理データＤＢ２２ｃが記憶する「データタイプ」は、生理データの種別を示す。例えば、「データタイプ」には、生理データの種別が体重であることを示す「体重」、生理データの種別が血圧であることを示す「血圧」等の値が格納される。
【００５０】
また、生理データＤＢ２２ｃが記憶する「生理データ値」は、データタイプに対応した計測値を示す。例えば、「生理データ値」には、「６０．０６（ｋｇ）」、「１２０（ｍｍＨｇ）」等の値が格納される。
【００５１】
また、生理データＤＢ２２ｃが記憶する「保管時の気圧（ｈＰａ）」は、生理データの値を受信し、この生理データを補正する時の基準地点の気圧を示す。例えば、「保管時の気圧」には、「１０２０」、「１０３０」等の値が格納される。
【００５２】
なお、生理データＤＢ２２ｃが記憶する「装置ＩＤ」は、図３に示す「装置ＩＤ」に対応し、生理データＤＢ２２ｃが記憶する「場所ＩＤ」は、図４に示す「場所ＩＤ」に対応する。
【００５３】
一例をあげると、図５に示す生理データＤＢ２２ｃは、生理データＩＤが「０００１」である生理データは、装置ＩＤが「１」で識別される装置により、場所ＩＤが「Ｂ」である場所において計測された、被検体ＩＤが「ＸＸＸＸ」である被検体の体重が６０．０６ｋｇであることを示す。また、図５に示す生理データＤＢ２２ｃは、生理データの保管時に、場所ＩＤが「Ａ」である基準地点の気圧が１０２０（ｈｐａ）であったことを示す。なお、生理データＤＢ２２ｃは、保管を要求された生理データを受信した受信部２４により生成され、補正部２５により生理データ値が補正される。
【００５４】
図２に戻り、制御部２３は、例えばＣＰＵ等であり、生理データ参照装置１０が実行する各種処理を制御する。例えば、制御部２３は、受信部２４と、補正部２５と、送信部２６とを有する。
【００５５】
受信部２４は、生理データを保管する要求である保管要求を生理データ参照装置１０から受信する。受信部２４は、生理データを保管する要求を許可した場合、保管する生理データを計測した計測装置が置かれた場所に関する地理的条件を含んだ、生理データを生理データ参照装置１０から受信する。そして、受信部２４は、受信した生理データを記憶部２２の生理データＤＢ２２ｃに保管する。なお、受信部２４は、受信した生理データを記憶部２２の生理データＤＢ２２ｃに保管したことを補正部２５に通知する。
【００５６】
また、受信部２４は、生理データを取得する要求である取得要求を生理データ参照装置１０から受信する。ここで、受信部２４は、生理データの取得を要求する生理データ参照装置１０が置かれた場所に関する地理的条件を含んだ、生理データの取得要求を生理データ参照装置１０から受信する。受信部２４は、取得要求を受信した場合、取得を要求された生理データを記憶部２２の生理データＤＢ２２ｃから読み出す。受信部２４は、読み出した生理データと、取得要求に含まれていた地理的条件とを補正部２５に出力する。
【００５７】
補正部２５は、第１の補正部２５ａと、第２の補正部２５ｂとを有し、受信部２４によって取得要求が受信された場合に、生理データを計測した計測装置が置かれた場所に関する地理的条件と生理データの取得を要求する生理データ参照装置１０が置かれた場所に関する地理的条件とに基づいて、地理的条件の違いにより生理データに生じる誤差を補正する。
【００５８】
第１の補正部２５ａは、受信部２４によって生理データが受信された場合に、生理データを計測した計測装置が置かれた場所に関する地理的条件と所定の基準地点に関する地理的条件とに基づいて、生理データを補正する。
【００５９】
具体的には、第１の補正部２５ａは、受信した生理データを記憶部２２の生理データＤＢ２２ｃに保管したことを受信部２４から通知された場合、生理データＤＢ２２ｃを参照して、通知された生理データに含まれている地理的条件を取得する。そして、第１の補正部２５ａは、取得した地理的条件と所定の基準地点に関する地理的条件とに基づいて、生理データＤＢ２２ｃに記憶されている当該生理データを補正する。ここで、所定の基準地点は、データセンター４の所在地であり、生理データ保管装置２０が置かれた場所を示す。
【００６０】
例えば、第１の補正部２５ａは、生理データが体重である場合、以下の処理を実行する。ここで、体重は、重力加速度の影響を受けて変動する。また、一部の体重計は、計測の際に、所定の基準地点として登録された位置情報から重力加速度を算出し、補正をかけている。このため、第１の補正部２５ａは、受信した生理データを計測した計測装置が補正に対応しているかどうかを判定する。例えば、第１の補正部２５ａは、記憶部２２が記憶する装置ＤＢ２２ａの「補正対応」に格納された値が「１」であるか否かを判定する。
【００６１】
第１の補正部２５ａは、装置ＤＢ２２ａの「補正対応」に格納された値が「１」である場合は、体重計が補正に対応していると判定し、補正を行わない。一方、第１の補正部２５ａは、装置ＤＢ２２ａの「補正対応」に格納された値が「０」である場合は、体重計が補正に対応していないと判定し、補正を行う。ここで、第１の補正部２５ａは、重力加速度を用いて体重の補正を行う。第１の補正部２５ａは、補正の一例として、計算式「補正後の体重＝（データセンターの重力加速度／計測地点の重力加速度）×補正前の体重」を用いる。
【００６２】
一例をあげると、第１の補正部２５ａは、場所ＩＤが「Ｂ」で特定される場所に置かれた計測装置により体重が「６０．０６ｋｇ」であると計測された場合、体重を「６０．００ｋｇ（＝（９．８／９．８１）×６０．０６）」に補正する。なお、第１の補正部２５ａによる補正の方法は適宜変更可能である。
【００６３】
また、第１の補正部２５ａは、生理データが血圧である場合、以下の処理を実行する。ここで、血圧は、気圧の影響を受けて変動する。このため、第１の補正部２５ａは、例えば、地理的条件から生理データ計測地点の気圧を取得し、補正を行う。具体的には、第１の補正部２５ａは、補正の一例として、計算式「計測地点の気圧が１００ｈＰａ下がるごとに血圧を１ｍｍＨｇ下げる」を用いる。
【００６４】
一例をあげると、第１の補正部２５ａは、場所ＩＤが「Ｂ」で特定される場所に置かれた計測装置により血圧が「１２０ｍｍＨｇ」であると計測された場合、血圧を「１２６ｍｍＨｇ（＝（１＋（１０２０−１０１５）／１００）×１２０）」に補正する。なお、第１の補正部２５ａによる補正の方法は適宜変更可能とする。
【００６５】
そして、第１の補正部２５ａは、記憶部２２の生理データＤＢ２２ｃに保管された生理データを補正した生理データで更新する。
【００６６】
第２の補正部２５ｂは、受信部２４によって生理データの取得要求が受信された場合に、生理データの取得を要求する生理データ参照装置１０が置かれた場所に関する地理的条件と所定の基準地点に関する地理的条件とに基づいて、第１の補正部２５ａによって補正された生理データを補正する。
【００６７】
具体的には、第２の補正部２５ｂは、受信部２４によって読み出された生理データと取得要求に含まれていた地理的条件とを受け付けた場合、受け付けた地理的条件と所定の基準地点に関する地理的条件とに基づいて、当該生理データを補正する。なお、所定の基準地点は、データセンター４の所在地であり、生理データ保管装置２０が置かれた場所を示す。
【００６８】
例えば、第２の補正部２５ｂは、生理データが体重である場合、以下の処理を実行する。ここで、体重は、重力加速度の影響を受けて変動する。このため、第２の補正部２５ｂは、重力加速度を用いて体重の補正を行う。第２の補正部２５ｂは、補正の一例として、計算式「補正後の体重＝（生理データの取得を要求する地点の重力加速度／データセンターの重力加速度）×第１の補正部２５ａにより補正された体重」を用いる。
【００６９】
一例をあげると、第２の補正部２５ｂは、場所ＩＤが「Ｂ」で特定される場所に置かれた計測装置により計測された後、第１の補正部２５ａにより補正された体重が「６０．００ｋｇ」であり、場所ＩＤが「Ｃ」で特定される場所に置かれた生理データ参照装置１０から生理データの取得を要求された場合、体重を「５９．９４ｋｇ（＝（９．７９／９．８）×６０．００）」に補正する。なお、第２の補正部２５ｂによる補正の方法は適宜変更可能である。
【００７０】
また、第２の補正部２５ｂは、生理データが血圧である場合、以下の処理を実行する。ここで、血圧は、気圧の影響を受けて変動する。このため、第２の補正部２５ｂは、例えば、地理的条件から生理データ計測地点の気圧を取得し、補正を行う。具体的には、第２の補正部２５ｂは、補正の一例として、計算式「計測地点の気圧が１００ｈＰａ下がるごとに血圧を１ｍｍＨｇ下げる」を用いる。
【００７１】
一例をあげると、第２の補正部２５ｂは、場所ＩＤが「Ｂ」で特定される場所に置かれた計測装置により計測された後、第１の補正部２５ａにより補正された血圧が「１２０．６ｍｍＨｇ」であり、場所ＩＤが「Ｃ」で特定される場所に置かれた生理データ参照装置１０から生理データの取得を要求された場合、血圧を「１３８ｍｍＨｇ（＝（１＋（１０３０−１０２０）／１００）×１２６）」に補正する。なお、第２の補正部２５ｂによる補正の方法は適宜変更可能とする。
【００７２】
第２の補正部２５ｂは、補正した生理データを送信部２６に出力する。送信部２６は、生理データの取得を要求した生理データ参照装置１０に、補正部２５によって補正された生理データを送信する。
【００７３】
次に、図６及び図７を用いて、生理データ保管装置２０による処理手順を説明する。図６は、生理データ保管装置２０が、生理データの保管要求を生理データ参照装置１０から受信した場合の処理手順を示すフローチャートである。図６に示すように、生理データ保管装置２０において、受信部２４は、生理データを保管する要求を生理データ参照装置１０から受信したか否かを判定する（ステップＳ１０１）。
【００７４】
ここで、受信部２４は、生理データを保管する要求を生理データ参照装置１０から受信したと判定した場合（ステップＳ１０１、Ｙｅｓ）、生理データを生理データ参照装置１０から受信する（ステップＳ１０２）。続いて、受信部２４は、生理データ参照装置１０の所在地における地理的条件を生理データ参照装置１０から受信する（ステップＳ１０３）。
【００７５】
続いて、受信部２４は、生理データ参照装置１０から受信した生理データ及び地理的条件を記憶部２２に保管する（ステップＳ１０４）。例えば、受信部２４は、生理データを生理データＤＢ２２ｃに保管する。また、受信部２４は、地理的条件ＤＢ２２ｂにおける「気圧」の値を受信した地理的条件に含まれる「気圧」の値で更新する。
【００７６】
そして、第１の補正部２５ａは、計測装置による誤差を補正する（ステップＳ１０５）。続いて、第１の補正部２５ａは、地理的条件による誤差を補正する（ステップＳ１０６）。
【００７７】
生理データ保管装置２０は、ステップＳ１０６の終了後、処理を終了する。なお、ステップＳ１０１において、受信部２４は、生理データを保管する要求を生理データ参照装置１０から受信していないと判定した場合（ステップＳ１０１、Ｎｏ）、所定の期間が経過した後に、ステップＳ１０１を実行する。
【００７８】
図７は、生理データ保管装置２０が、生理データの取得要求を生理データ参照装置１０から受信した場合の処理手順を示すフローチャートである。図７に示すように、生理データ保管装置２０において、受信部２４は、生理データを取得する要求を生理データ参照装置１０から受信したか否かを判定する（ステップＳ２０１）。
【００７９】
ここで、受信部２４は、生理データを取得する要求を生理データ参照装置１０から受信したと判定した場合（ステップＳ２０１、Ｙｅｓ）、生理データ参照装置１０の所在地における地理的条件を生理データ参照装置１０から受信する（ステップＳ２０２）。
【００８０】
続いて、受信部２４は、生理データ参照装置１０から要求された生理データを生理データＤＢ２２ｃから読み出す（ステップＳ２０３）。そして、受信部２４は、読み出した生理データを補正部２５に出力する。
【００８１】
続いて、第２の補正部２５ｂは、地理的条件による誤差を補正する（ステップＳ２０４）。そして、第２の補正部２５ｂは、要求された生理データを補正した後、この補正した生理データを送信部２６に出力する。送信部２６は、要求元の生理データ参照装置１０に補正した生理データを送信する（ステップＳ２０５）。
【００８２】
生理データ保管装置２０は、ステップＳ２０５の終了後、処理を終了する。なお、ステップＳ２０１において、受信部２４は、生理データを取得する要求を生理データ参照装置１０から受信していないと判定した場合（ステップＳ２０１、Ｎｏ）、所定の期間が経過した後に、ステップＳ２０１を実行する。
【００８３】
上述したように、第１の実施形態によれば、異なる場所で共有される生理データの精度を向上させることができる。
【００８４】
なお、生理データ保管装置２０は、所定の計測装置を基準にして、各計測装置による計測値と基準となる計測装置による計測値との誤差を補正する係数を装置ＤＢ２２ａに更に対応付けて保持し、この係数に基づいて計測装置間で生じる誤差を補正するようにしてもよい。
【００８５】
また、生理データ保管装置２０が置かれた場所を基準地点として説明したが、基準地点は、これに限定されるものではない。例えば、生理データ保管装置２０は、生理データ保管装置２０が置かれた場所以外を基準地点としてもよい。なお、この場合、生理データを保管する際に、基準地点とした場所の気圧を生理データＤＢ２２ｃの「保管時の気圧」に記憶させておく。
【００８６】
また、生理データ保管装置２０において補正部２５は、保管要求を受信した場合に、補正を行わずに記憶部２２に生理データを保管し、取得要求を受信した場合に、補正を行うようにしてもよい。この場合、受信部２４は、生理データＤＢ２２ｃの「保管時の気圧」に代えて、保管を要求した生理データ参照装置１０から受信した「計測時の気圧」を記憶させる。ここで、「計測時の気圧」は、計測装置が置かれた場所で、この計測装置により生理データの値が計測された時点の気圧を示す。そして、補正部２５は、取得を要求された生理データが血圧である場合、この「計測時の気圧」と、生理データの取得を要求した生理データ参照装置１０から受信した「気圧」とに基づいて、保管した生理データを補正する。また、補正部２５は、取得を要求された生理データが体重である場合、計測地点の「重力加速度」と、生理データの取得を要求した生理データ参照装置１０から受信した「重力加速度」とに基づいて、保管した生理データを補正する。
【００８７】
また、生理データ保管装置２０が有する補正部２５の機能を分散させてもよい。例えば、生理データ保管装置２０が第１の補正部２５ａの機能を有し、生理データの取得を要求する生理データ参照装置１０が第２の補正部２５ｂの機能を有するようにしてもよい。
【００８８】
また、生理データの保管を要求する生理データ参照装置１０が第１の補正部２５ａの機能を有し、生理データの取得を要求する生理データ参照装置１０が第２の補正部２５ｂの機能を有するようにしてもよい。
【００８９】
以上、説明したとおり、第１の実施形態によれば、異なる場所で共有される生理データの精度を向上させることができる。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９１】
２０  生理データ保管装置
２２  記憶部
２２ｃ  生理データＤＢ
２３  制御部
２４  受信部
２５  補正部
２６  送信部
【図１】
2014135975.tif 000003
【図２】
2014135975.tif 000004
【図３】
2014135975.tif 000005
【図４】
2014135975.tif 000006
【図５】
2014135975.tif 000007
【図６】
2014135975.tif 000008
【図７】
2014135975.tif 000009